【手続補正書】
【提出日】平成18年8月10日(2006.8.10)
【手続補正１】
【補正対象書類名】明細書
【補正対象項目名】特許請求の範囲
【補正方法】変更
【補正の内容】
【特許請求の範囲】
【請求項１】  ストリッピング区画と精留区画とを有する蒸留塔反応器中でナフサを水素化脱硫するための方法であって：
（ａ）有機硫黄化合物を含むナフサ沸点範囲炭化水素流れと水素とを、前記ストリッピング区画よりも上において蒸留塔反応器に供給する工程と；
（ｂ）前記蒸留塔反応器中で同時に、
（ｉ）前記ナフサを、軽質沸点範囲ナフサと重質沸点範囲ナフサとに分離し、
（ｉｉ）前記ストリッピング区画中で、前記重質沸点範囲ナフサと水素とを水素化脱硫触媒と接触させて、より重質の有機硫黄化合物と前記水素とを選択的に反応させてＨ２Ｓを形成する工程と；
（ｃ）前記軽質沸点範囲ナフサとＨ２Ｓと未反応の水素とを、前記蒸留塔反応器からオーバーヘッドとして除去する工程と；
（ｄ）前記より重質沸点範囲のナフサを前記蒸留塔反応器からボトムスとして除去する工程と；を含む方法。
【請求項２】  （ｅ）前記オーバーヘッドを冷却して、前記軽質沸点範囲ナフサを凝縮し、前記水素とＨ２Ｓとから分離する工程と；
（ｆ）前記凝縮した軽質沸点範囲ナフサの一部を、前記蒸留塔反応器に還流として戻す工程と；
（ｇ）前記ボトムスの一部を、リボイラーを通して再循環する工程と；
（ｈ）前記オーバーヘッドの前記未反応の水素を、再循環して、前記ストリッピング区画よりも下の箇所において前記蒸留塔反応器に戻すために、前記リボイラーに供給する工程と；をさらに含む、請求項１に記載の方法。
【請求項３】  （ｂ）前記精留区画中で、前記軽質沸点範囲ナフサと水素とを水素化脱硫触媒と接触させて、より軽質の有機硫黄化合物と前記水素とを選択的に反応させてＨ２Ｓを形成する工程と；
（ｉ）前記ボトムスの一部を、リボイラーを通して再循環する工程と；
（ｊ）前記オーバーヘッドの前記未反応の水素を、再循環して、前記ストリッピング区画よりも下の箇所において前記蒸留塔反応器に戻すために、前記リボイラーに供給する工程と；をさらに含む、請求項１に記載の方法。
【請求項４】  （ｇ）前記オーバーヘッドを冷却して、前記軽質沸点範囲ナフサを凝縮し、前記水素とＨ２Ｓとから分離する工程と；
（ｈ）前記凝縮した軽質沸点範囲ナフサの一部を、前記蒸留塔反応器に還流として戻す工程と；をさらに含む、請求項３に記載の方法。
【請求項５】  前記ストリッピングの下部には前記水素化脱硫触媒が無く、側流は、前記ストリッパー区画中に位置する前記水素化脱硫触媒のすぐ下の箇所において前記ストリッパー区画から取り出される、請求項３に記載の方法。
【請求項６】  前記ストリッピングの下部には前記水素化脱硫触媒が無く、側流は、前記精留区画のすぐ下の箇所において前記蒸留塔反応器から取り出される、請求項４に記載の方法。
【請求項７】  ストリッピング区画と精留区画とを有する蒸留塔反応器中でナフサを水素化脱硫するための方法であって：
（ａ）有機硫黄化合物を含むナフサ沸点範囲炭化水素流れと水素とを、前記ストリッピング区画よりも上において蒸留塔反応器に供給する工程と；
（ｂ）前記蒸留塔反応器中で同時に、
（ｉ）前記ナフサを、軽質沸点範囲ナフサと重質沸点範囲ナフサとに分離し、
（ｉｉ）前記精留区画中で、前記軽質沸点範囲ナフサと水素とを水素化脱硫触媒と接触させて、より軽質の有機硫黄化合物と前記水素とを選択的に反応させてＨ２Ｓを形成する工程と；
（ｃ）前記軽質沸点範囲ナフサとＨ２Ｓと未反応の水素とを、前記蒸留塔反応器からオーバーヘッドとして除去する工程と；
（ｄ）前記より重質沸点範囲のナフサを前記蒸留塔反応器からボトムスとして除去する工程と；
（ｅ）前記オーバーヘッドの前記未反応の水素を、再循環して、前記ストリッピング区画よりも下の箇所において前記蒸留塔反応器に戻すために、リボイラーに供給する工程と；
（ｆ）前記リボイラーから生じた流出液の一部を、水素化脱硫触媒を収容した固定床単一通過反応器に供給して、重質有機硫黄化合物の一部と水素とを反応させてＨ２Ｓを形成する工程と；を含む方法。
【請求項８】  （ｇ）前記オーバーヘッドを冷却して、前記軽質沸点範囲ナフサを凝縮し、前記水素とＨ２Ｓとから分離する工程と；
（ｈ）前記凝縮した軽質沸点範囲ナフサの一部を、前記蒸留塔に還流として戻す工程と；
（ｉ）前記ボトムスの一部を、リボイラーを通して再循環する工程と；をさらに含む、請求項７に記載の方法。
【請求項９】  前記固定床単一通過反応器から生じた流出液は、未反応の水素及び前記Ｈ２Ｓを含むガス状部分、並びに、前記重質沸点ナフサを含む液体部分に分離され、前記ガス状部分は、前記ストリッピング区画よりも下において前記蒸留塔反応器に再循環される、請求項７に記載の方法。
【請求項１０】  （ｆ）前記ボトムスの残りと追加の水素とを、水素化脱硫触媒を収容した固定床単一通過反応器に供給して、重質有機硫黄化合物の一部と水素とを反応させてＨ２Ｓを形成する工程と；
（ｇ）前記オーバーヘッドを冷却して、前記軽質沸点範囲ナフサを凝縮し、前記水素とＨ２Ｓとから分離する工程と；
（ｈ）前記凝縮した軽質沸点範囲ナフサの一部を、前記蒸留塔に還流として戻す工程と；
（ｉ）前記ボトムスの一部を、リボイラーを通して再循環する工程と；をさらに含む、請求項７に記載の方法。
【請求項１１】  （ｊ）前記単一通過固定床反応器から生じた流出液を、第２の蒸留塔反応器中に供給する工程と；
（ｋ）前記第２の蒸留塔反応器中で同時に、
（ｉ）前記重質沸点範囲ナフサと水素とを水素化脱硫触媒と接触させて、さらなる有機硫黄化合物と前記水素とをさらに反応させてＨ２Ｓを形成する工程と；
（ｉｉ）前記重質沸点範囲ナフサを、重質ナフサ流れとテール流れとに分離する工程と；
（ｌ）前記重質ナフサ流れとＨ２Ｓと未反応の水素とを、前記第２の蒸留塔反応器からオーバーヘッドとして除去する工程と；
（ｍ）前記テール流れを前記第２の蒸留塔反応器からボトムスとして除去する工程と；
（ｎ）前記オーバーヘッドを冷却して、前記重質ナフサ流れを凝縮し、前記水素とＨ２Ｓとから分離する工程と；
（ｏ）前記凝縮した重質ナフサ流れの一部を、前記第２の蒸留塔に還流として戻す工程と；
（ｐ）前記より重質沸点範囲のナフサの一部を、前記単一通過固定床反応器を通して再循環する工程と；
（ｑ）前記オーバーヘッドの前記未反応の水素を、前記ナフサ供給物と共に、前記単一通過固定床反応器に再循環する工程と；をさらに含む、請求項１０に記載の方法。
【請求項１２】  （ｊ）前記単一通過固定床反応器から生じた流出液を、第２の蒸留塔反応器中に供給する工程と；
（ｋ）前記第２の蒸留塔反応器中で同時に、
（ｉ）前記重質沸点範囲ナフサを、重質ナフサ流れとテール流れとに分離する工程と；
（ｉｉ）前記第２の蒸留塔反応器の精留区画中で、前記重質沸点範囲ナフサと水素とを水素化脱硫触媒と接触させて、さらなる有機硫黄化合物と前記水素とをさらに反応させてＨ２Ｓを形成する工程と；
（ｌ）前記重質ナフサ流れとＨ２Ｓと未反応の水素とを、前記第２の蒸留塔反応器からオーバーヘッドとして除去する工程と；
（ｍ）前記テール流れを前記第２の蒸留塔反応器からボトムスとして除去する工程と；
（ｎ）前記オーバーヘッドを冷却して、前記重質ナフサ流れを凝縮し、前記水素とＨ２Ｓとから分離する工程と；
（ｏ）前記凝縮した重質ナフサ流れの一部を、前記第２の蒸留塔に還流として戻す工程と；
（ｐ）前記より重質沸点範囲のナフサの一部を、前記単一通過固定床反応器を通して再循環する工程と；
（ｑ）前記オーバーヘッドの前記未反応の水素を、前記ナフサ供給物と共に、前記単一通過固定床反応器に再循環する工程と；をさらに含む、請求項１０に記載の方法。
【請求項１３】  ナフサを水素化脱硫するための方法であって：
（ａ）水素とナフサとを、水素化脱硫触媒を収容した単一通過固定床反応器中に供給して、それによって、含まれる有機硫黄化合物の一部と水素とを反応させてＨ２Ｓを形成することと；
（ｂ）前記単一通過固定床反応器から生じた流出液を、蒸留塔反応器中に供給することと；
（ｃ）前記蒸留塔反応器中で同時に：
（ｉ）全沸点範囲ナフサと水素とを水素化脱硫触媒と接触させて、さらなる有機硫黄化合物と前記水素とをさらに反応させてＨ２Ｓを形成することと；
（ｉｉ）前記ナフサを、軽質沸点範囲ナフサと重質沸点範囲ナフサとに分離することと；
（ｄ）前記軽質沸点範囲ナフサとＨ２Ｓと未反応の水素とを、前記蒸留塔反応器からオーバーヘッドとして除去することと；
（ｅ）前記より重質沸点範囲のナフサを前記蒸留塔反応器からボトムスとして除去することと；
（ｆ）前記オーバーヘッドを冷却して、前記軽質沸点範囲ナフサを凝縮し、前記水素とＨ２Ｓとから分離することと；
（ｇ）前記凝縮した軽質沸点範囲ナフサの一部を、前記蒸留塔に還流として戻すことと；
（ｈ）前記より重質沸点範囲のナフサの一部を、前記単一通過固定床反応器を通して再循環することと；
（ｉ）前記オーバーヘッドの前記未反応の水素を、前記ナフサ供給物と共に、前記単一通過固定床反応器に再循環することと；を含む方法。
【請求項１４】  ストリッピング区画と精留区画とを有する蒸留塔反応器中でナフサを水素化脱硫するための方法であって：
（ａ）有機硫黄化合物を含むナフサ沸点範囲炭化水素流れと水素とを、前記ストリッピング区画よりも上において前記蒸留塔反応器に供給する工程と；
（ｂ）前記蒸留塔反応器中で同時に、
（ｉ）前記ナフサを、軽質沸点範囲ナフサと重質沸点範囲ナフサとに分離する工程と；
（ｉｉ）前記精留区画中で、前記軽質沸点範囲ナフサと水素とを水素化脱硫触媒と接触させて、より軽質の有機硫黄化合物と前記水素とを選択的に反応させてＨ２Ｓを形成する工程と；
（ｃ）前記軽質沸点範囲ナフサとＨ２Ｓと未反応の水素とを、前記蒸留塔反応器からオーバーヘッドとして除去する工程と；
（ｄ）前記より重質沸点範囲のナフサを前記蒸留塔反応器からボトムスとして除去する工程と；
（ｅ）前記オーバーヘッドを冷却して、前記軽質沸点範囲ナフサを凝縮し、前記水素とＨ２Ｓとから分離する工程と；
（ｆ）前記凝縮した軽質沸点範囲ナフサの一部を、前記蒸留塔反応器に還流として戻す工程と；
（ｇ）前記より重質沸点範囲のナフサの一部を、リボイラーを通して再循環する工程と；
（ｈ）前記オーバーヘッドの前記未反応の水素を、前記ナフサ供給物と共に、前記蒸留塔反応器に再循環する工程と；
（ｉ）前記より重質沸点範囲のナフサの残りと追加の水素とを、第２の蒸留塔反応器に供給する工程と；
（ｊ）前記第２の蒸留塔反応器中で同時に：
（ｉ）前記より重質沸点範囲のナフサを、重質ナフサ流れとテール流れとに分離する工程と；
（ｉｉ）前記重質沸点範囲ナフサと水素とを水素化脱硫触媒区画と接触させて、より重質の有機硫黄化合物と前記水素とを反応させてＨ２Ｓを形成する工程と；
（ｋ）前記重質ナフサ流れとＨ２Ｓと未反応の水素とを、前記第２の蒸留塔反応器からオーバーヘッドとして除去する工程と；
（ｌ）前記テール流れを前記第２の蒸留塔反応器からボトムスとして除去する工程と；を含む方法。